(57)【特許請求の範囲】
【請求項１】
画像データを取得する取得部と、
着脱可能に装着されている色剤カートリッジを用いて被記録媒体に前記画像データを印刷する印刷部と、
消耗度合が第１の消耗度合未満である前記色剤カートリッジに交換されたことを検知する検知部と、
制御部とを備え、
前記制御部は、
前記色剤カートリッジの消耗度合が前記第１の消耗度合未満である第１状態にあるか、前記第１の消耗度合以上であり且つ第２の消耗度合（第１の消耗度合＜第２の消耗度合）未満である第２状態にあるか、前記第２の消耗度合以上である第３状態にあるかを判断する判断処理と、
前記第１状態にあるときに前記取得部によって取得された画像データを前記印刷部に印刷させる第１の制御処理と、
前記第２状態にあるときに前記取得部によって取得された画像データを前記印刷部に印刷させるとともに、再印刷用データとして記憶部に記憶させる第２の制御処理と、
前記第２状態にあるときに前記消耗度合が前記第１の消耗度合未満である前記色剤カートリッジに交換されたことが前記検知部によって検知されると、前記第２の制御処理において前記記憶部に記憶された前記再印刷用データを印刷させるか否かをユーザに選択させ、ユーザが前記再印刷用データの印刷を選択した場合に、前記再印刷用データを前記印刷部に印刷させる第４の制御処理と、
前記第３状態にあるときに前記取得部によって取得された画像データを前記印刷部に印刷させず、未印刷データとして前記記憶部に記憶させる記憶処理と、
前記第３状態にあるときに前記消耗度合が前記第１の消耗度合未満である前記色剤カートリッジに交換されたことが前記検知部によって検知されると、前記第２の制御処理において前記記憶部に記憶された前記再印刷用データを印刷させるか否かをユーザに選択させることなく、前記第２の制御処理において前記記憶部に記憶された前記再印刷用データ、及び、前記記憶処理において前記記憶部に記憶された前記未印刷データを前記印刷部に印刷させる第３の制御処理と、
を実行する、印刷装置。
【請求項２】
請求項１に記載の印刷装置であって、
前記制御部は、前記第４の制御処理において前記記憶部に記憶されている前記再印刷用データを前記印刷部に印刷させているときに前記取得部によって画像データが取得された場合は、印刷中の前記再印刷用データの印刷が完了した後に、当該取得された画像データを、前記記憶部に記憶されている他のまだ再印刷していない前記再印刷用データより先に前記印刷部に印刷させる、印刷装置。
【請求項３】
請求項１又は請求項２に記載の印刷装置であって、
前記制御部は、前記第３の制御処理において、後に前記記憶部に記憶された前記再印刷用データから先に前記印刷部に印刷させる、印刷装置。
【請求項４】
請求項１乃至請求項３のいずれか一項に記載の印刷装置であって、
前記制御部は、前記第１の制御処理において画像データを前記印刷部に印刷させている途中で前記判断処理において前記第２状態になったと判断した場合は、前記第１状態で印刷されたページ分のデータも含めて当該画像データを前記再印刷用データとして前記記憶部に記憶させる、印刷装置。
【請求項５】
請求項１乃至請求項４のいずれか一項に記載の印刷装置であって、
前記取得部は、外部のファクシミリ装置から送信されたファクシミリデータを前記画像データとしてファクシミリ受信可能である、印刷装置。
【請求項６】
請求項１に記載の印刷装置であって、
前記制御部は、前記第２の制御処理において画像データを前記印刷部に印刷させている途中で前記判断処理において前記第３状態になったと判断した場合は、当該画像データを前記未印刷データとして前記記憶部に記憶させる、印刷装置。
【発明の詳細な説明】
【技術分野】
【０００１】
本発明は、印刷装置に関する。
【背景技術】
【０００２】
従来、トナーボックス中のトナーの量が第１所定量未満で第２所定量以上である少トナー状態で画像データを受信した場合に、その画像データを記録材に記録するとともに、その画像データを画像メモリに記憶させるファクシミリ装置が知られている（例えば、特許文献１参照）。
【０００３】
このファクシミリ装置では、トナーボックスが交換されてから一定時間が経過するまでの間に再記録指示が受け付けられると、少トナー状態で画像メモリに記憶された画像データ（再印刷用データ）が表す画像を記録材に記録し、再記録指示がなされなかった場合は再印刷用データを画像メモリから削除している。
【先行技術文献】
【特許文献】
【０００４】
【特許文献１】特開平１１−３４１２４２号公報
【発明の概要】
【発明が解決しようとする課題】
【０００５】
しかしながら、従来のファクシミリ装置によると、一定時間が経過するまでの間に再記録指示をすることをユーザが忘れてしまった場合にも画像データを削除してしまうので、次のような不都合がある。
トナー欠状態に近くなるほどトナーの量が少なくなるので、少トナー状態で記録された画像データであっても、トナーの量が第２所定量未満であるトナー欠状態になる直前に記録された画像データはかすれて記録されてしまっている可能性がある。そして、中には内容を把握できない程度にかすれて記録されてしまっている画像データがある可能性もある。
このような画像データがある場合、ユーザが再記録指示を忘れてしまうと、その画像データも削除されてしまうので、ユーザはその画像データの内容を把握できなくなってしまう。
【０００６】
本発明は上記のような事情に基づいて完成されたものであって、使用限界に達している色剤カートリッジが交換された場合に再印刷用データを確実に印刷する印刷装置を提供することを目的とする。
【課題を解決するための手段】
【０００７】
第１の発明は、印刷装置であって、画像データを取得する取得部と、着脱可能に装着されている色剤カートリッジを用いて被記録媒体に前記画像データを印刷する印刷部と、消耗度合が第１の消耗度合未満である前記色剤カートリッジに交換されたことを検知する検知部と、制御部とを備え、前記制御部は、前記色剤カートリッジの消耗度合が前記第１の消耗度合未満である第１状態にあるか、前記第１の消耗度合以上であり且つ第２の消耗度合（第１の消耗度合＜第２の消耗度合）未満である第２状態にあるか、前記第２の消耗度合以上である第３状態にあるかを判断する判断処理と、前記第１状態にあるときに前記取得部によって取得された画像データを前記印刷部に印刷させる第１の制御処理と、前記第２状態にあるときに前記取得部によって取得された画像データを前記印刷部に印刷させるとともに、再印刷用データとして記憶部に記憶させる第２の制御処理と、前記第３状態にあるときに前記消耗度合が前記第１の消耗度合未満である前記色剤カートリッジに交換されたことが前記検知部によって検知されると、前記記憶部に記憶されている前記再印刷用データを前記印刷部に印刷させる第３の制御処理と、を実行する。
【０００８】
この発明によると、色剤カートリッジの消耗度合が第２の消耗度合以上である第３状態にあるときに第１の消耗度合未満である色剤カートリッジに交換されたことが検知されると、印刷するか否かをユーザに選択させることなく再印刷用データを印刷する。
このため、色剤カートリッジが使用限界に達する消耗度合を第２の消耗度合として設定しておくことにより、色剤カートリッジが使用限界に達している状態で交換された場合に再印刷用データを確実に印刷できる。
【０００９】
ここで、一つの画像データは、１枚の被記録媒体に印刷される１ページ分の画像を表すデータであってもよいし、複数枚の被記録媒体に印刷される複数ページ分の画像を表すデータであってもよい。
【００１０】
第２の発明は、第１の発明の印刷装置であって、前記制御部は、前記第２状態にあるときに前記消耗度合が前記第１の消耗度合未満である前記色剤カートリッジに交換されたことが前記検知部によって検知されると、前記記憶部に記憶されている前記再印刷用データを印刷させるか否かをユーザに選択させる選択処理と、前記選択処理においてユーザが前記再印刷用データの印刷を選択した場合に、前記記憶部に記憶されている前記再印刷用データを前記印刷部に印刷させる第４の制御処理と、を実行する。
【００１１】
第２状態にあるときに色剤カートリッジが交換された場合は、第２の制御処理によって印刷されたときにかすれて印刷された画像データは少ないと考えられる。そのためユーザは画像データ（再印刷用データ）の再印刷を望んでいない場合もある。にもかかわらず再印刷用データを無条件に印刷してしまうと、色剤や被記録媒体などの印刷資源が浪費されてしまう。
この発明によると、第２状態にあるときに色剤カートリッジが交換された場合には、再印刷用データを印刷させるか否かをユーザに選択させるので、ユーザが再印刷用データの印刷を望んでいないにもかかわらず印刷してしまうことによる印刷資源の浪費を低減できる。
また、この発明によると、交換直前の色剤カートリッジの消耗度合の状態（第２状態又は第３状態）によって交換後の処理を異ならせるので、交換直前の状態に応じて適切な処理を実行できる。
【００１２】
第３の発明は、第２の発明の印刷装置であって、前記制御部は、前記第４の制御処理において前記記憶部に記憶されている前記再印刷用データを前記印刷部に印刷させているときに前記取得部によって画像データが取得された場合は、当該取得された画像データを前記再印刷用データより先に前記印刷部に印刷させる。
第２状態にあるときに色剤カートリッジが交換された場合は、第２の制御処理によって印刷されたときにかすれて印刷された画像データは少ないと考えられる。このような場合、再印刷用データよりも、未だ印刷が行われていない画像データ（再印刷用データを印刷部に印刷させているときに取得部によって取得された画像データ）を先に印刷させることで、ユーザは当該未だ印刷が行われていない画像データの内容を速やかに把握できる。
【００１３】
第４の発明は、第１〜第３のいずれかの発明の印刷装置であって、前記制御部は、前記第３の制御処理において、後に前記記憶部に記憶された前記再印刷用データから先に前記印刷部に印刷させる。
【００１４】
印刷が後になるほど色剤の量が少なくなるので、後に記憶部に記憶された再印刷用データほど第２の制御処理で印刷された際にかすれて印刷された可能性が高い。
この発明によると、後に記憶された再印刷用データほど先に印刷させるので、ユーザはかすれて印刷された可能性の高い画像データの印刷結果を速やかに入手できる。
【００１５】
第５の発明は、第１〜第４のいずれかの発明の印刷装置であって、前記制御部は、前記第１の制御処理において画像データを前記印刷部に印刷させている途中で前記判断処理において前記第２状態になったと判断した場合は、当該印刷中の画像データを前記再印刷用データとして前記記憶部に記憶させる。
この発明によると、第１状態での印刷の途中で第２状態になった場合にはその画像データを再印刷用データとして記憶するので、色剤カートリッジが交換された後にその画像データを一から印刷し直すことができる。
【００１６】
第６の発明は、第１〜第５のいずれかの発明の印刷装置であって、前記取得部は、外部のファクシミリ装置から送信されたファクシミリデータを前記画像データとしてファクシミリ受信可能であり、前記制御部は、前記第２の制御処理において、前記取得部によって取得されたファクシミリデータのみを前記再印刷用データとして前記記憶部に記憶させる。
【００１７】
第２状態にあるときに受信したファクシミリデータを印刷装置から削除してしまうと、そのファクシミリデータがかすれて印刷されていた場合に、受信者は送信者にそのファクシミリデータの再送を要求しなければならないので不便である。
この発明によると、第２状態にあるときにファクシミリデータを受信した場合は、そのファクシミリデータを再印刷用データとして記憶するので、そのような不便を軽減できる。また、この発明によると、ファクシミリデータ以外は再印刷用データとして記憶しないので、記憶部を効率よく利用できる。
【００１８】
第７の発明は、第１〜第６のいずれかの発明の印刷装置であって、前記制御部は、前記第３状態にあるときに前記取得部によって取得された画像データを前記印刷部に印刷させず、未印刷データとして前記記憶部に記憶させる記憶処理を実行し、前記第３の制御処理において、前記記憶部に記憶されている前記再印刷用データ及び前記未印刷データを前記印刷部に印刷させる。
この発明によると、第３状態にあるときに取得部によって取得された画像データを、色剤カートリッジが交換された後に印刷部に印刷させることができる。
【００１９】
第８の発明は、第７の発明の印刷装置であって、前記制御部は、前記第２の制御処理において画像データを前記印刷部に印刷させている途中で前記判断処理において前記第３状態になったと判断した場合は、当該印刷中の画像データを前記未印刷データとして前記記憶部に記憶させる。
この発明によると、第２状態での印刷の途中で第３状態になった場合にはその画像データを未印刷データとして記憶するので、色剤カートリッジが交換された後にその画像データを一から印刷し直すことができる。
【００２０】
尚、本発明に備わる各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【図面の簡単な説明】
【００２１】
【図１】実施形態１に係る複合機の電気的構成を示すブロック図。
【図２】トナーカートリッジの断面図。
【図３】ＦＡＸ受信機能における制御部の状態遷移を示す状態遷移図。
【図４】「再印刷用データの印刷」の処理の流れを示すフローチャート。
【図５】第４の制御処理の流れを示すフローチャート。
【図６】第３の制御処理の流れを示すフローチャート。
【発明を実施するための形態】
【００２２】
＜実施形態１＞
本発明の実施形態１を図１ないし図８によって説明する。
（１）複合機の構成
図１は、実施形態１に係る複合機１（印刷装置の一例）の電気的構成を示すブロック図である。複合機１は、制御部１０、ファクシミリ（ＦＡＸ）部１１（取得部の一例）、スキャナ部１２（取得部の一例）、プリンタ部１３（印刷部の一例）、操作部１４、記憶部１５、ＵＳＢインタフェース（ＵＳＢ  Ｉ／Ｆ）１６（取得部の一例）、ネットワークインタフェース（ＮＷ  Ｉ／Ｆ）１７（取得部の一例）などを備えて構成されている。
【００２３】
制御部１０は、ＣＰＵ、ＲＯＭ、ＲＡＭなどで構成されている。ＣＰＵはＲＯＭに記憶されている各種のプログラムを実行することによって複合機１の各部を制御する。ＲＯＭはＣＰＵが実行するための各種のプログラムやデータなどを記憶している。ＲＡＭはＣＰＵが各種の処理を実行するための主記憶装置として用いられる。
【００２４】
ＦＡＸ部１１は、ＮＣＵ（Network Control Unit）、モデム、これらを制御するＡＳＩＣなどを備えて構成されており、公衆交換電話網を介して外部のＦＡＸ装置との間で画像データをＦＡＸ送受信する。
【００２５】
スキャナ部１２は、原稿を照射する光源、リニアイメージセンサ、光源によって照射された原稿の光学像をリニアイメージセンサに結像させる光学系、原稿とリニアイメージセンサとを相対移動させる搬送機構などを備えて構成されており、原稿を読み取って画像データを生成する。
【００２６】
プリンタ部１３は、画像データが表す画像を紙などの被記憶媒体に電子写真方式で印刷する。
プリンタ部１３には黒色のトナー（色剤の一例）が収容されているトナーカートリッジ５６（図２参照、色剤カートリッジの一例）が着脱可能に装着され、プリンタ部１３はトナーカートリッジ５６に収容されているトナーを用いて被記録媒体に画像を印刷する（以下「画像データを印刷する」という）。なお、本実施形態ではトナーの色は黒色であるとするが、トナーの色は黒色に限られるものではない。
【００２７】
操作部１４は、ＬＣＤ（Liquid Crystal Display）などの表示装置、表示装置の表示面を覆う略透明なタッチパネル、各種の操作ボタンなどを備えて構成されている。ユーザは操作部１４を操作することによって複合機１の機能の選択や各種の設定などを行うことができる。
【００２８】
記憶部１５は、ハードディスクやフラッシュメモリなどの不揮発性の記憶媒体を用いて各種のデータを記憶する装置である。なお、例えば外部のファイルサーバを記憶部１５として用いてもよい。
【００２９】
ＵＳＢ（Universal Serial Bus）インタフェース１６は、ＵＳＢホストコントローラ、ＵＳＢポートなどを備えて構成されており、ＵＳＢメモリやＵＳＢハードディスクなどのＵＳＢマスストレージデバイスが接続される。
ネットワークインタフェース１７は、ＬＡＮやインターネットなどの通信ネットワークを介して外部のコンピュータと通信可能に接続されている。
【００３０】
（２）複合機の機能
複合機１は、ＦＡＸ受信機能、プリント機能、ダイレクトプリント機能、及び、コピー機能を実行可能に構成されている。
ＦＡＸ受信機能は、ＦＡＸ部１１によって外部のＦＡＸ装置から画像データをＦＡＸ受信し、ＦＡＸ受信した画像データをプリンタ部１３によって印刷する機能である。
プリント機能は、ネットワークインタフェース１７によって外部のコンピュータから画像データを受信し、受信した画像データをプリンタ部１３によって印刷する機能である。
【００３１】
ダイレクトプリント機能は、ＵＳＢインタフェース１６に接続されているＵＳＢマスストレージデバイスから画像データを読み込み、読み込んだ画像データをプリンタ部１３によって印刷する機能である。
コピー機能は、スキャナ部１２によって原稿を読み取って画像データを生成し、生成した画像データをプリンタ部１３によって印刷する機能である。
【００３２】
上述した各機能において、画像データ（例えばＦＡＸ受信した画像データや外部のコンピュータから受信した画像データなど）は一旦ＲＡＭに記憶され、印刷後にＲＡＭから削除される。
【００３３】
（３）トナーカートリッジ
次に、プリンタ部１３に着脱可能に装着されるトナーカートリッジについて説明する。
（３−１）トナーカートリッジの構成
図２は、トナーカートリッジの断面図である。トナーカートリッジ５６は、トナー収容室４６、アジテータ５７、供給ローラ４７、現像ローラ４８、層厚規制ブレード５１などを備えて構成されている。
トナー収容室４６には、正帯電性の非磁性のトナー（色剤の一例）が収容されている。アジテータ５７によって撹拌されたトナーは供給ローラ４７に供給され、供給ローラ４７の回転によって現像ローラ４８に供給される。
現像ローラ４８に供給されたトナーは現像ローラ４８の回転に伴って層厚規制ブレード５１と現像ローラ４８との間に進入し、一定の厚さの薄層として現像ローラ４８上に担持される。
現像ローラ４８に担持されたトナーは、複合機１に設けられている感光体ドラム、あるいは複合機１に着脱可能に装着されるドラムユニットに設けられている感光体ドラムの表面に形成されている静電潜像に供給され、それによって感光体ドラムの表面にトナー像が形成される。
【００３４】
（３−２）トナーカートリッジの新品検知
トナーカートリッジ５６の新品検知は種々の方法で行うことができる。
例えば、一方向にのみ移動可能な可動部材をトナーカートリッジ５６に設け、トナーカートリッジ５６を装着する際に当該可動部材が複合機１の内部（あるいはドラムユニット）に設けられている固定部材に押されて当該一方向に移動するように構成し、複合機１側に設けた機械的、あるいは光学的なセンサ（検知部の一例）によってこの移動を検出してもよい。これにより、制御部１０（検知部の一例）は新品（消耗度合が第１の消耗度合未満）のトナーカートリッジ５６に交換されたことを検知することができる。この場合、一度装着したトナーカートリッジ５６を外して再装着する際には可動部材が移動しないので、新品とは検知されないことになる。
【００３５】
なお、トナーカートリッジ５６のトナー残量をセンサによって所定のタイミングで検出し、前回検出したときからトナー残量が増加しており、且つそのトナー残量がある一定量以上であれば新品と検知してもよい。
また、トナーカートリッジ５６を新品に交換したときにユーザが操作部１４でその旨を設定することで新品と検知してもよい。
【００３６】
（３−３）トナーカートリッジの消耗度合
トナーは印刷が行われる毎に使用され、ある一定量以上使用されるとトナーが不足して印刷がかすれ始め、それにより印刷品質が低下し始める。
また、現像ローラ４８も回転が繰り返されることによって徐々に摩耗し、ある一定回転数以上回転すると担持できるトナーの量が少なくなって印刷がかすれ始め、それにより印刷品質が低下し始める。
そこで、制御部１０は、トナーカートリッジ５６が新品に交換されてからのトナー使用量と現像ローラ４８の回転数とからトナーカートリッジ５６の消耗度合を判断する。
【００３７】
トナーカートリッジ５６が新品に交換されてからのトナー使用量は種々の方法で判断することができる。
例えば、被記録媒体１枚当たりの平均的なトナー使用量を予め実験によって求めておき、トナーカートリッジ５６が新品に交換されたときからの印刷枚数とその平均的なトナー使用量との積からトナー使用量を判断してもよい。
【００３８】
あるいは、被記録媒体に形成するドットの数をカウントし、カウントしたドットの数と１ドット当たりのトナー量との積からその被記録媒体への印刷に用いるトナー量を算出し、被記録媒体毎に算出したトナー量を合計することによってトナー使用量を判断してもよい。
【００３９】
あるいは、トナー収容室４６内のトナー残量を検出するセンサを設け、新品時の全トナー量から現在のトナー残量を減じることによってトナー使用量を判断してもよい。
【００４０】
トナーカートリッジ５６が新品に交換されてからの現像ローラ４８の回転数も種々の方法で判断することができる。
例えば、現像ローラ４８を回転駆動する図示しない駆動モータの回転数を検出することによって現像ローラ４８の回転数を判断してもよい。
あるいは、被記録媒体１枚当たりの平均的な現像ローラ４８の回転数を予め実験によって求めておき、トナーカートリッジ５６が新品に交換されたときからの印刷枚数と被記録媒体１枚当たりの平均的な現像ローラ４８の回転数との積から現像ローラ４８の回転数を判断してもよい。
【００４１】
本実施形態では、トナーカートリッジ５６が新品に交換されたときからの印刷枚数によってトナー使用量、及び現像ローラ４８の回転数を判断する場合を例に説明する。
【００４２】
印刷がかすれ始めるトナー使用量に達する印刷枚数、及び、印刷がかすれ始める回転数に達する印刷枚数は予め実験によって求められており、複合機１にはそれらのうちいずれか少ない方の枚数が第１の枚数（第１の消耗度合の一例）として設定されている。第１の枚数は印刷される画像データのサイズや内容などによって変化し得るが、本実施形態では１２００〜１７００枚の範囲で設定される。
【００４３】
また、トナー使用量が使用限界（トナー残量が０）に達する印刷枚数、及び、現像ローラ４８が使用限界（内容を把握できなくなる程度に印刷がかすれる回転数）に達する印刷枚数も予め実験によって求められており、複合機１にはそれらのうちいずれか少ない方の枚数が第２の枚数（第２の消耗度合の一例）として設定されている。第２の枚数も印刷される画像データのサイズや内容などによって変化し得るが、本実施形態では４０００枚とする。
【００４４】
制御部１０は、印刷枚数をカウントし、印刷枚数が第１の枚数未満のときはトナーカートリッジ５６の消耗度合が第１状態にあると判断し、第１の枚数以上で且つ第２の枚数未満のときは第２状態にあると判断し、第２の枚数以上のときは第３状態にあると判断する（判断処理の一例）。
【００４５】
（４）ＦＡＸ受信機能における制御部の状態遷移
図３は、ＦＡＸ受信機能における制御部１０の状態遷移を示す状態遷移図である。ここではトナーカートリッジ５６の消耗度合の状態も併せて示している。なお、図３は制御部１０の状態遷移を簡略化して示しており、制御部１０の状態は図３に示す遷移の経路とは異なる経路で他の状態に遷移することもあり得る。
【００４６】
「Ｒｅａｄｙ」状態８１は、新品のトナーカートリッジ５６に交換されてから未だ印刷枚数が所定枚数（例えば１０００枚）に達していない状態である。
制御部１０は、新品のトナーカートリッジ５６に交換されると、印刷枚数をカウントするカウンタ変数ｎを０に初期化し、１枚の被記録媒体に画像を印刷する毎にカウンタ変数ｎに１を加算する。このカウントは、ＦＡＸ受信機能、プリント機能、ダイレクトプリント機能、及びコピー機能のいずれによって印刷が行われた場合も対象となる。制御部１０は、カウンタ変数ｎの値が所定枚数未満であれば「Ｒｅａｄｙ」状態８１であると判断する。
【００４７】
制御部１０は、「Ｒｅａｄｙ」状態８１のときに画像データをＦＡＸ受信すると、その画像データをプリンタ部１３に印刷させる（第１の制御処理の一例）。
「Ｒｅａｄｙ」状態８１で印刷を繰り返してカウンタ変数ｎの値が所定枚数（＜第１の枚数）に達すると、制御部１０の状態は「Ｔｏｎｅｒ  Ｌｏｗ」状態８２に遷移する。
【００４８】
「Ｔｏｎｅｒ  Ｌｏｗ」状態８２は、カウンタ変数ｎの値が所定枚数以上で且つ第１の枚数未満の範囲にある状態である。
制御部１０は、「Ｔｏｎｅｒ  Ｌｏｗ」状態８２のときに画像データをＦＡＸ受信すると、その画像データをプリンタ部１３に印刷させる（第１の制御処理の一例）。
「Ｔｏｎｅｒ  Ｌｏｗ」状態８２で印刷を繰り返してカウンタ変数ｎの値が第１の枚数に達すると、制御部１０の状態は「Ｒｅｐｌａｃｅ  Ｔｏｎｅｒ（再印刷用データ無）」状態８３に遷移する。
【００４９】
「Ｒｅｐｌａｃｅ  Ｔｏｎｅｒ（再印刷用データ無）」状態８３は、新品のトナーカートリッジ５６に交換されてからの印刷枚数が第１の枚数以上〜第２の枚数未満の範囲にある状態である。
「Ｒｅｐｌａｃｅ  Ｔｏｎｅｒ（再印刷用データ無）」状態８３に遷移すると、制御部１０は先ず「停止」モード又は「継続」モードを選択させるための図示しないモード選択画面を操作部１４に表示してユーザに何れか一方のモードを選択させる。
【００５０】
ユーザが「停止」モードを選択した場合は、制御部１０は操作部１４にトナーカートリッジ５６の交換を促すメッセージを表示する。そして、トナーカートリッジ５６が交換されるまでＦＡＸ受信を拒否する。または、ＦＡＸ受信した画像データを印刷させずに記憶部１５に記憶させてもよい。
一方、ユーザが「継続」モードを選択した場合は、その後にＦＡＸ受信されると、制御部１０の状態は「ＦＡＸ  Ｐｒｉｎｔｉｎｇ」状態８４に遷移する。
【００５１】
「停止」モード及び「継続」モードのいずれが選択された場合も、「Ｒｅｐｌａｃｅ  Ｔｏｎｅｒ（再印刷用データ無）」状態８３でトナーカートリッジ５６が新品に交換されると、制御部１０の状態は「Ｒｅａｄｙ」状態８１に戻る。
【００５２】
「ＦＡＸ  Ｐｒｉｎｔｉｎｇ」状態８４は、ＦＡＸ受信した画像データを印刷している状態である（第２の制御処理の一例）。
画像データの印刷が終了すると、制御部１０は操作部１４に品質確認画面７１を表示し、印刷した画像データの印刷品質に問題があるか否かをユーザに選択させる。ユーザは、印刷がかすれていて読み難いなどのように印刷品質に問題があると判断した場合は品質確認画面７１で「ＮＧ」を選択し、一方、印刷品質に問題がないと判断した場合は「ＯＫ」を選択する。
【００５３】
ユーザが「ＮＧ」を選択すると、制御部１０は、ＦＡＸ受信した画像データを再印刷用データとして記憶部１５に記憶する（第２の制御処理の一例）。記憶部１５に再印刷用データが記憶されると、制御部１０の状態は「Ｒｅｐｌａｃｅ  Ｔｏｎｅｒ（再印刷用データ有）」状態８５に遷移する。
一方、ユーザが「ＯＫ」を選択すると、制御部１０は操作部１４に削除確認画面７２を表示し、印刷した画像データを削除するか否かをユーザに指定させる。ユーザはその画像データを複合機１から削除してもよい場合は「削除」を選択し、その画像データを複合機１に残しておきたい場合は「削除しない」を選択する。
【００５４】
ユーザが「削除」を選択すると、制御部１０は、記憶部１５に記憶されている全ての再印刷用データを削除する。全ての再印刷用データを削除すると、制御部１０の状態は「Ｒｅｐｌａｃｅ  Ｔｏｎｅｒ（再印刷用データ無）」状態８３に戻る。
一方、削除確認画面７２でユーザが「削除しない」を選択すると、制御部１０は、ＦＡＸ受信した画像データを再印刷用データとして記憶部１５に記憶する（第２の制御処理の一例）。記憶部１５に再印刷用データが記憶されると、制御部１０の状態は「Ｒｅｐｌａｃｅ  Ｔｏｎｅｒ（再印刷用データ有）」状態８５に遷移する。
【００５５】
削除確認画面７２でユーザが一定時間以内に選択を行わなかった場合には、「Ｔｉｍｅｏｕｔ」として品質確認画面７１に戻る。
【００５６】
なお、品質確認画面７１や削除確認画面７２を表示させず、トナーカートリッジ５６の消耗度合の状態が第２の状態にあるときは無条件に再印刷用データとして記憶部１５に記憶させてもよい。
【００５７】
「Ｒｅｐｌａｃｅ  Ｔｏｎｅｒ（再印刷用データ有）」状態８５は、「Ｒｅｐｌａｃｅ  Ｔｏｎｅｒ（再印刷用データ無）」状態８３と同様にカウンタ変数ｎの値が第１の枚数以上で且つ第２の枚数未満の範囲にある状態であるが、少なくとも一つの再印刷用データが記憶部１５に記憶されている点で「Ｒｅｐｌａｃｅ  Ｔｏｎｅｒ（再印刷用データ無）」状態８３と異なる。
【００５８】
制御部１０の状態が「Ｒｅｐｌａｃｅ  Ｔｏｎｅｒ（再印刷用データ有）」状態８５に遷移すると、制御部１０は先ず記憶部１５に記憶されている再印刷用データの数が、記憶部１５に記憶可能な再印刷用データの上限件数である１０００件に達しているか否かを判定する。記憶部１５に記憶されている再印刷用データの数が上限件数に達している場合は、制御部１０の状態は「Ｍｅｍｏｒｙ  Ｆｕｌｌ」状態８６に遷移する。
【００５９】
「Ｍｅｍｏｒｙ  Ｆｕｌｌ」状態８６は、記憶部１５に記憶されている再印刷用データの数が上限件数に達している状態である。「Ｍｅｍｏｒｙ  Ｆｕｌｌ」状態８６のときは、制御部１０は画像データのＦＡＸ受信を拒否する。
【００６０】
一方、再印刷用データの数が上限件数に達していない場合はそのまま「Ｒｅｐｌａｃｅ  Ｔｏｎｅｒ（再印刷用データ有）」状態８５となる。
「Ｒｅｐｌａｃｅ  Ｔｏｎｅｒ（再印刷用データ有）」状態８５で画像データをＦＡＸ受信すると、制御部１０の状態は「ＦＡＸ  Ｐｒｉｎｔｉｎｇ」状態８４に戻る。
【００６１】
また、「Ｒｅｐｌａｃｅ  Ｔｏｎｅｒ（再印刷用データ有）」状態８５で印刷を繰り返してカウンタ変数ｎの値が第２の枚数に達すると、制御部１０の状態は「Ｔｏｎｅｒ  Ｅｎｄｅｄ」状態８８に遷移する。
また、「Ｒｅｐｌａｃｅ  Ｔｏｎｅｒ（再印刷用データ有）」状態８５でトナーカートリッジ５６が新品に交換されると、制御部１０は操作部１４に印刷／削除選択画面７３を表示し、記憶部１５に記憶されている全ての再印刷用データを一括印刷するか又は一括削除するかをユーザに選択させる（選択処理の一例）。ユーザは、再印刷用データを一括印刷する場合は「印刷」を選択し、一括削除する場合は「削除」を選択する。
【００６２】
印刷／削除選択画面７３でユーザが「印刷」を選択すると、制御部１０の状態は「再印刷用データＰｒｉｎｔｉｎｇ」状態８７に遷移する。
一方、ユーザが「削除」を選択すると、制御部１０は記憶部１５に記憶されている全ての再印刷用データを一括して削除する。記憶部１５に記憶されている再印刷用データが全て削除されると、制御部１０の状態は「Ｒｅａｄｙ」状態８１に戻る。
【００６３】
なお、「Ｍｅｍｏｒｙ  Ｆｕｌｌ」状態８６でトナーカートリッジ５６が新品に交換されたときの制御部１０の処理は、「Ｒｅｐｌａｃｅ  Ｔｏｎｅｒ（再印刷用データ有）」状態８５でトナーカートリッジ５６が新品に交換された場合と同じである。
【００６４】
「再印刷用データＰｒｉｎｔｉｎｇ」状態８７は、記憶部１５に記憶されている再印刷用データをプリンタ部１３に印刷させる「第３及び第４の制御処理」を実行している状態である。「第３及び第４の制御処理」の詳細については後述する。「第３及び第４の制御処理」が終了すると、制御部１０の状態は「Ｒｅａｄｙ」状態８１に戻る。
【００６５】
「Ｔｏｎｅｒ  Ｅｎｄｅｄ」状態８８は、カウンタ変数ｎの値が第２の枚数以上の状態である。
「Ｔｏｎｅｒ  Ｅｎｄｅｄ」状態８８で画像をＦＡＸ受信すると、制御部１０の状態は「代行受信」状態８９に遷移する。「代行受信」状態８９のときは、複合機１はＦＡＸ受信した画像データの印刷は行わずに、画像データを記憶部１５に記憶させる。
【００６６】
また、「Ｔｏｎｅｒ  Ｅｎｄｅｄ」状態８８で新品のトナーカートリッジ５６に交換されると、制御部１０は印刷確認画面７４を操作部１４に表示し、記憶部１５に記憶されている全ての再印刷用データを一括印刷することをユーザに確認する。
印刷確認画面７４では、ユーザは「ＯＫ」を選択することしかできない。つまり、ユーザは再印刷用データの一括削除を選択することはできない。その理由は、「Ｔｏｎｅｒ  Ｅｎｄｅｄ」状態８８になる直前に受信した画像データは内容を把握できない程度にかすれて印刷されている可能性があるので、一括削除してしまうとそのような画像データの内容を把握できなくなる虞があるからである。
【００６７】
印刷確認画面７４でユーザが「ＯＫ」を選択すると、制御部１０の状態は「再印刷用データＰｒｉｎｔｉｎｇ」状態８７に遷移する。
【００６８】
「代行受信」状態８９は、「Ｔｏｎｅｒ  Ｅｎｄｅｄ」状態８８でＦＡＸ受信した画像データを未印刷データとして記憶部１５に記憶する状態である（記憶処理の一例）。
【００６９】
（５）印刷途中に第１の消耗度合に達した場合の状態遷移
一つの画像データが複数ページ分のデータからなる場合、印刷途中で印刷枚数が第１の枚数に達すると、印刷途中でトナーカートリッジ５６の消耗度合の状態が第２状態に変化することになる。
そこで、制御部１０は、「Ｒｅａｄｙ」状態８１、及び「Ｔｏｎｅｒ  Ｌｏｗ」状態８２で実行される第１の制御処理において一つの画像データの印刷途中で印刷枚数が第１の枚数に達した場合は、印刷途中で「ＦＡＸ  Ｐｒｉｎｔｉｎｇ」状態８４に遷移し、当該画像データの残りのページ分のデータを「ＦＡＸ  Ｐｒｉｎｔｉｎｇ」状態８４で印刷する。
従って、その印刷が完了すると、品質確認画面７１や削除確認画面７２が表示される。そして、ユーザが品質確認画面７１で「ＮＧ」を選択するか、又は品質確認画面７１で「ＯＫ」を選択して削除確認画面７２で「削除しない」を選択すると、制御部１０は、第１状態で印刷されたページ分のデータも含めてその画像データを再印刷用データとして記憶部１５に記憶する。
（６）印刷途中に第２の消耗度合に達した場合の状態遷移
第２状態で実行される第２の制御処理において一つの画像データの印刷途中で印刷枚数が第２の枚数に達した場合は、制御部１０は印刷が完了した後に「Ｔｏｎｅｒ  Ｅｎｄｅｄ」状態８８に遷移する。そして、制御部１０はその画像データを「Ｔｏｎｅｒ  Ｅｎｄｅｄ」状態８８で受信したものとみなし、「代行受信」状態８９に遷移する。従って、その画像データは、再印刷用データとしては記憶されず、未印刷データとして記憶部１５に記憶されることになる。
以上、状態７３，７４、８１、８２、及び８７におけるトナーカートリッジ５６の消耗度合が本発明の「第１状態」に相当する。また、状態７１、７２、及び８３〜８６におけるトナーカートリッジ５６の消耗度合が本発明の「第２状態」に相当する。また、状態８８及び８９におけるトナーカートリッジ５６の消耗度合が本発明の「第３状態」に相当する。
【００７０】
（７）再印刷用データの印刷
図４は、図３に示す「再印刷用データの印刷」の処理の流れを示すフローチャートである。本処理は「Ｒｅｐｌａｃｅ  Ｔｏｎｅｒ（再印刷用データ有）」状態８５、「Ｍｅｍｏｒｙ  Ｆｕｌｌ」状態８６、又は「Ｔｏｎｅｒ  Ｅｎｄｅｄ」状態８８にあるときにトナーカートリッジ５６が新品に交換されたことが検知されると開始される。
【００７１】
Ｓ１０１では、制御部１０は交換直前のトナーカートリッジ５６の消耗度合が第２の消耗度合未満であったか否かを判定し、第２の消耗度合未満の場合はＳ１０２に進み、第２の消耗度合以上の場合はＳ１０６に進む。なお、制御部１０は交換直前のトナーカートリッジ５６の消耗度合を記憶しているものとする。
Ｓ１０２では、制御部１０は操作部１４に印刷／削除選択画面７３を表示し、記憶部１５に記憶されている全ての再印刷用データを一括印刷するか又は一括削除するかをユーザに選択させる（選択処理の一例）。
【００７２】
Ｓ１０３では、制御部１０は「削除」が選択されたか「印刷」が選択されたか否かを判断し、「削除」が選択された場合はＳ１０４に進み、「印刷」が選択された場合はＳ１０５に進む。
Ｓ１０４では、制御部１０は記憶部１５に記憶されている再印刷用データを一括削除して本処理を終了する。
【００７３】
Ｓ１０５では、制御部１０は「再印刷用データＰｒｉｎｔｉｎｇ」状態８７に遷移し、記憶部１５に記憶されている再印刷用データをプリンタ部１３に印刷させる「第４の制御処理」を実行する。
Ｓ１０６では、制御部１０は印刷確認画面７４を操作部１４に表示し、記憶部１５に記憶されている全ての再印刷用データを一括印刷することをユーザに確認する。
Ｓ１０７では、制御部１０は「再印刷用データＰｒｉｎｔｉｎｇ」状態８７に遷移し、記憶部１５に記憶されている再印刷用データをプリンタ部１３に印刷させる「第３の制御処理」を実行する。
【００７４】
（７−１）第４の制御処理
図５は、第４の制御処理の流れを示すフローチャートである。ここでは未印刷データ、再印刷用データの順で印刷する場合を例に説明する。
【００７５】
ここで未印刷データとは次の（ａ）〜（ｄ）の画像データのことをいう。
（ａ）トナーカートリッジ５６が新品に交換された後にＦＡＸ部１１によってＦＡＸ受信され、未だ印刷されていない画像データ。
（ｂ）トナーカートリッジ５６が新品に交換された後（第１状態）にスキャナ部１２によって生成され、未だ印刷されていない画像データ。
（ｃ）トナーカートリッジ５６が新品に交換された後（第１状態）にネットワークインタフェース１７によって受信され、未だ印刷されていない画像データ。
（ｄ）トナーカートリッジ５６が新品に交換された後（第１状態）にＵＳＢインタフェース１６によって読み込まれ、未だ印刷されていない画像データ。
【００７６】
Ｓ２０１では、制御部１０は未印刷データが有るか否かを判定し、未印刷データが有る場合はＳ２０２に進み、ない場合はＳ２０４に進む。
Ｓ２０２では、制御部１０は未印刷データの中から最古の未印刷データ（一番先に取得された未印刷データ）を一つ選択し、選択した未印刷データをプリンタ部１３に印刷させる。印刷後、制御部１０はその未印刷データを削除する。
【００７７】
Ｓ２０３では、制御部１０は未印刷データ又は再印刷用データが有るか否かを判定し、有る場合はＳ２０１に戻って処理を繰り返し、ない場合は本処理を終了して図４の処理に戻る。
Ｓ２０４では、制御部１０は記憶部１５に再印刷用データが記憶されているか否か（有るか否か）を判定し、記憶されている場合はＳ２０５に進み、記憶されていない場合は本処理を終了して図４の処理に戻る。
【００７８】
Ｓ２０５では、制御部１０は再印刷用データの中から最古の再印刷用データを一つ選択し、選択した再印刷用データをプリンタ部１３に印刷させる。印刷後、制御部１０はその再印刷用データを記憶部１５から削除する。
【００７９】
（７−２）第３の制御処理
図６は、第３の制御処理の流れを示すフローチャートである。ここでは代行受信した未印刷データ、再印刷用データ、代行受信以外の未印刷データの順で印刷する場合を例に説明する。
【００８０】
ここで代行受信した未印刷データとは次の（ｅ）の画像データのことをいい、代行受信した以外の未印刷データとは前述した（ａ）〜（ｄ）の画像データのことをいう。
（ｅ）「Ｔｏｎｅｒ  Ｅｎｄｅｄ」状態８８（第３状態）でＦＡＸ受信され、「代行受信」状態８９で未印刷データとして記憶部１５に記憶された画像データ（印刷途中に第２の消耗度合に達して未印刷データとして記憶された画像データも含む）。
【００８１】
Ｓ３０１では、制御部１０は代行受信した未印刷データが有るか否かを判定し、有る場合はＳ３０２に進み、ない場合はＳ３０４に進む。
Ｓ３０２では、制御部１０は代行受信した未印刷データの中から最古の未印刷データを一つ選択し、選択した未印刷データをプリンタ部１３に印刷させる。印刷後、制御部１０はその未印刷データを削除する。
【００８２】
Ｓ３０３では、制御部１０は未印刷データ又は再印刷用データが有るか否かを判定し、有る場合はＳ３０１に戻って処理を繰り返し、ない場合は本処理を終了して図４の処理に戻る。
Ｓ３０４は、制御部１０は記憶部１５に再印刷用データが記憶されているか否かを判定し、記憶されている場合はＳ３０５に進み、記憶されていない場合はＳ３０６に進む。
【００８３】
Ｓ３０５では、制御部１０は再印刷用データの中から最新の再印刷用データ（一番後に記憶された再印刷用データ）を一つ選択し、選択した再印刷用データをプリンタ部１３に印刷させる。印刷後、制御部１０はその再印刷用データを記憶部１５から削除する。
Ｓ３０６では、制御部１０は代行受信した以外の未印刷データが有るか否かを判定し、有る場合はＳ３０７に進み、ない場合は本処理を終了して図４の処理に戻る。
Ｓ３０７では、制御部１０は代行受信した以外の未印刷データの中から最古の未印刷データを一つ選択し、選択した未印刷データをプリンタ部１３に印刷させる。印刷後、制御部１０はその未印刷データを削除する。
【００８４】
（８）実施形態の効果
以上説明した本発明の実施形態１に係る複合機１によると、トナーカートリッジ５６の消耗度合が第２の消耗度合以上である第３状態にあるときに第１の消耗度合未満であるトナーカートリッジ５６に交換されたことが検知されると、印刷するか否かをユーザに選択させることなく再印刷用データを印刷する。
このため、トナーカートリッジ５６の使用限界に達する消耗度合を第２の消耗度合として設定しておくことにより、トナーカートリッジ５６が使用限界に達している状態で交換された場合に再印刷用データを確実に印刷できる。
【００８５】
更に、複合機１によると、第３の制御処理において、後に記憶部１５に記憶された再印刷用データから先にプリンタ部１３に印刷させる。
印刷が後になるほどトナーの量が少なくなるので、後に記憶部１５に記憶された再印刷用データほど第２の制御処理で印刷された際にかすれて印刷された可能性が高い。複合機１によると、後に記憶された再印刷用データほど先に印刷させるので、ユーザはかすれて印刷された可能性の高い画像データの印刷結果を速やかに入手できる。
【００８６】
更に、複合機１によると、第２状態にあるときに消耗度合が第１の消耗度合未満であるトナーカートリッジ５６に交換されたことが検知されると、再印刷用データを印刷させるか否かをユーザに選択させ、ユーザが印刷を選択した場合に再印刷用データを印刷させる。
第２状態にあるときにトナーカートリッジ５６が交換された場合は、第２の制御処理によって印刷されたときにかすれて印刷された画像データは少ないと考えられる。そのためユーザは画像データ（再印刷用データ）の再印刷を望んでいない場合もある。にもかかわらず再印刷用データを無条件に印刷してしまうと、トナーや被記録媒体などの印刷資源が浪費されてしまう。
複合機１によると、第２状態にあるときにトナーカートリッジ５６が交換された場合は再印刷用データを印刷させるか否かをユーザに選択させるので、ユーザが再印刷用データの印刷を望んでいないにもかかわらず印刷してしまうことによる印刷資源の浪費を低減できる。
また、複合機１によると、交換直前のトナーカートリッジ５６の消耗度合の状態によって交換後の処理を異ならせるので、交換直前の状態に応じて適切な処理を実行できる。
【００８７】
更に、複合機１によると、第４の制御処理において再印刷用データを印刷させているときに画像データが取得された場合は、当該取得された画像データを再印刷用データより先に印刷させる。
第２状態にあるときにトナーカートリッジ５６が交換された場合は、第２の制御処理によって印刷されたときにかすれて印刷された画像データは少ないと考えられる。このような場合は、再印刷用データよりも、未だ印刷が行われていない画像データ（ａ）〜（ｄ）を先に印刷させることで、ユーザは当該未だ印刷が行われていない画像データの内容を速やかに把握できる。
【００８８】
更に、複合機１によると、第１状態での印刷の途中で第２状態になった場合にはその画像データを再印刷用データとして記憶するので、トナーカートリッジ５６が交換された後にその画像データを一から印刷し直すことができる。
【００８９】
更に、複合機１によると、外部のＦＡＸ装置から送信されるＦＡＸデータを画像データとしてＦＡＸ受信可能であり、制御部１０は、第２の制御処理において、ＦＡＸデータのみを再印刷用データとして記憶部１５に記憶させる。
第２状態にあるときに受信したＦＡＸデータを複合機１から削除してしまうと、そのＦＡＸデータがかすれて印刷されていた場合に、受信者は送信者にそのＦＡＸデータの再送を要求しなければならないので不便である。
複合機１によると、第２状態にあるときにＦＡＸデータを受信した場合は、そのＦＡＸデータを再印刷用データとして記憶するので、そのような不便を軽減できる。また、この発明によると、ＦＡＸデータ以外は再印刷用データとして記憶しないので、記憶部１５を効率よく利用できる。
【００９０】
更に、複合機１によると、第３状態にあるときにＦＡＸ受信された画像データを印刷させず、未印刷データとして記憶部１５に記憶させ、第３の制御処理において、記憶部１５に記憶されている再印刷用データ及び未印刷データを印刷させる。これにより、第３状態にあるときにＦＡＸ受信された画像データを、トナーカートリッジ５６が交換された後に印刷させることができる。
【００９１】
更に、複合機１によると、第２状態での印刷の途中で第３状態になった場合にはその画像データを未印刷データとして記憶するので、トナーカートリッジ５６が交換された後にその画像データを一から印刷し直すことができる。
【００９２】
＜他の実施形態＞
本発明は上記記述及び図面によって説明した実施形態に限定されるものではなく、例えば次のような実施形態も本発明の技術的範囲に含まれる。
【００９３】
（１）上記実施形態ではトナーを用いて印刷するプリンタ部１３を例に説明したが、プリンタ部１３は、着脱可能に装着されているインクカートリッジ（色剤カートリッジの一例）に収容されているインク（色剤の一例）を用いて被記録媒体にインクジェット方式で画像を印刷するものであってもよい。
【００９４】
（２）上記実施形態では黒色のトナーを用いて印刷するプリンタ部１３を例に説明したが、例えばＣＭＹＫ４色のトナーを用いてカラー印刷するものであってもよい。その場合は、例えばいずれかのトナーカートリッジ５６が第１の消耗度合に達した時点で第２の状態と判断してもよいし、黒色のトナーを収容するトナーカートリッジ５６の消耗度合のみで判断してもよい。第３の状態についても同様である。
【００９５】
（３）上記実施形態１では第４の制御処理において未印刷データ、再印刷用データの順で印刷する場合を例に説明したが、これらの印刷順は適宜に変更可能である。
【００９６】
（４）上記実施形態１では第３の制御処理において代行受信した未印刷データ、再印刷用データ、代行受信以外の未印刷データの順で印刷する場合を例に説明したが、これらの印刷順は適宜に変更可能である。
【００９７】
（５）上記実施形態では第２状態にあるときにＦＡＸ受信した画像データのみを再印刷用データとして記憶しているが、第２状態にあるときにスキャナ部１２、ネットワークインタフェース１７、及び／又は、ＵＳＢインタフェース１６によって取得された画像データを再印刷用データとして記憶部１５に記憶してもよい。
【００９８】
（６）上記実施形態では第３状態にあるときにＦＡＸ受信した画像データのみを未印刷データとして記憶部１５に記憶する場合を例に説明したが、第３状態にあるときにスキャナ部１２、ネットワークインタフェース１７、及び／又は、ＵＳＢインタフェース１６によって取得された画像データを未印刷データとして記憶部１５に記憶してもよい。
【００９９】
（７）上記実施形態では「Ｔｏｎｅｒ  Ｅｎｄｅｄ」状態８８でＦＡＸ受信した画像データを未印刷データとして記憶部１５に記憶させているが、「Ｔｏｎｅｒ  Ｅｎｄｅｄ」状態８８ではＦＡＸ受信を拒否してもよい。その場合、未印刷データは前述した（ａ）〜（ｄ）の画像データのみとなる。
逆に、「Ｔｏｎｅｒ  Ｅｎｄｅｄ」状態８８でＦＡＸ受信した画像データのみを未印刷データとしてもよい。
【０１００】
（８）上記実施形態ではトナーカートリッジ５６の消耗度合をトナー使用量と現像ローラ４８の回転数とから判断する場合を例に説明したが、現像ローラ４８の寿命（使用限界に達するまでの回転数）が充分に長い場合はトナー使用量のみで消耗度合を判断してもよい。
【０１０１】
（９）上記実施形態では印刷装置として複合機を例に説明したが、印刷装置は単機能のＦＡＸ装置、プリンタ、あるいはコピー機（複写機）であってもよい。
【符号の説明】
【０１０２】
１・・・複合機
３・・・被記録媒体
１０・・・制御部
１１・・・ファクシミリ部
１２・・・スキャナ部
１３・・・プリンタ部
１４・・・操作部
１５・・・記憶部
１６・・・ＵＳＢインタフェース
１７・・・ネットワークインタフェース
４８・・・現像ローラ
５６・・・トナーカートリッジ
【図１】
0005621418.tif 000002
【図２】
0005621418.tif 000003
【図３】
0005621418.tif 000004
【図４】
0005621418.tif 000005
【図５】
0005621418.tif 000006
【図６】
0005621418.tif 000007